(57)【要約】【課題】高画質な画像を読み取ることができる画像読取装置を提供する。【解決手段】画像読取装置において、システム制御ユニット１は、スペクトラム拡散クロックを発生するＳＳＣＧ部１４０と、基準クロックを発生しＳＳＣＧ部１４０を制御するタイミング回路１１２とを備える。読み取りユニット２は、原稿の光像を電気信号に変換するＣＣＤ１１１と、ＣＣＤ１１１によって取得された電気信号のアナログ情報をデジタル情報に変換するＡ／Ｄ変換部１１９と、ＣＣＤ１１１および光学系を副走査方向に移動させるパルスモータ１０８とを備える。タイミング回路１１２で発生する基準クロックでパルスモータ１０８を駆動させ、ＳＳＣＧ部１４０で発生するスペクトラム拡散クロックでＣＣＤ１１１およびＡ／Ｄ変換部１１９を駆動する。【選択図】        図１−１
2006180260.tif 000002
【特許請求の範囲】
【請求項１】
光学系によって原稿画像を照明して生成される光像を光電変換する光電変換手段と、
前記光電変換手段により変換されたアナログ信号をデジタル信号へ変換するＡ／Ｄ変換手段と、
前記原稿と前記光学系とを相対的に移動させて副走査方向に走査させる走査駆動手段と、
前記光電変換手段および前記Ａ／Ｄ変換手段をクロックで駆動する第１の駆動手段と、
前記走査駆動手段をクロックで駆動する第２の駆動手段と、
前記第１の駆動手段へはスペクトラム拡散クロックを供給して前記光電変換手段および前記Ａ／Ｄ変換手段を駆動させ、前記第２の駆動手段へは基準クロックを供給して前記走査駆動手段を駆動させるタイミング発生手段と、
を備えたことを特徴とする画像読取装置。
【請求項２】
前記タイミング発生手段は、内部ＰＬＬ（Ｐｈａｓｅ  Ｌｏｃｋｅｄ  Ｌｏｏｐ）回路を有し、前記第１の駆動手段へ供給するスペクトラム拡散クロックを、前記内部ＰＬＬ回路からの逓倍クロックによって発生させるものであることを特徴とする請求項１に記載の画像読取装置。
【請求項３】
さらに、前記タイミング発生手段から前記第１の駆動手段へのクロック供給ルート上に、外部からスペクトラム拡散クロックを挿入する外部スペクトラム拡散挿入手段を備えたことを特徴とする請求項１または２に記載の画像読取装置。
【請求項４】
前記タイミング発生手段は、さらに、前記タイミング発生手段から前記第１の駆動手段へのクロック供給ルート上に、前記タイミング発生手段の内部ＰＬＬ回路への入力前に外部へ出力する出力手段と、外部から前記内部ＰＬＬ回路へ入力する入力手段とを有するものであることを特徴とする請求項２に記載の画像読取装置。
【請求項５】
前記タイミング発生手段は、シリアルデータによって制御するものであり、
前記第２の駆動手段は、前記タイミング発生手段が発生する前記基準クロックを前記シリアルデータで供給されるものであることを特徴とする請求項１〜４のいずれか１つに記載の画像読取装置。
【請求項６】
前記第１の駆動手段は、ＣＣＤドライバであり、
前記第２の駆動手段は、モータドライバ１１７であることを特徴とする請求項１〜５のいずれか１つに記載の画像読取装置。
【請求項７】
前記タイミング発生手段は、前記タイミング発生手段の電源ＯＮリセット後に前記第２の駆動手段へのクロック発生のリセットを解除し、前記内部ＰＬＬ回路の安定動作後に前記第１の駆動手段へのクロック発生リセットを解除するものであることを特徴とする請求項２〜６のいずれか１つに記載の画像読取装置。
【請求項８】
前記タイミング発生手段は、前記第１の駆動手段へのリセット解除後にスペクトラム拡散の変調動作を開始することを特徴とする請求項７に記載の画像読取装置。
【請求項９】
前記光電変換手段は、３ラインカラーＣＣＤを含む複数ラインＣＣＤを有するものであることを特徴とする請求項１〜８のいずれか１つに記載の画像読取装置。
【請求項１０】
光学系によって原稿画像を照明して生成される光像を光電変換する光電変換工程と、
前記光電変換工程により変換されたアナログ信号をデジタル信号へ変換するＡ／Ｄ変換工程と、
前記原稿と前記光学系とを相対的に移動させて副走査方向に走査させる走査駆動工程と、
前記光電変換工程での光電変換および前記Ａ／Ｄ変換工程でのＡ／Ｄ変換をクロックで駆動する第１の駆動工程と、
前記走査駆動工程での走査をクロックで駆動する第２の駆動工程と、
前記第１の駆動工程において前記光電変換およびＡ／Ｄ変換を行わせるスペクトラム拡散クロックを供給し、前記第２の駆動工程において走査させる基準クロックを供給するタイミング信号発生工程と、
を備えたことを特徴とする画像読取方法。
【請求項１１】
請求項１０に記載された画像読取方法をコンピュータに実行させることを特徴とするプログラム。
【請求項１２】
光学系によって原稿画像を照明して生成される光像を光電変換する光電変換手段と、
前記光電変換手段により変換されたアナログ信号をデジタル信号へ変換するＡ／Ｄ変換手段と、
前記原稿と前記光学系とを相対的に移動させて副走査方向に走査させる走査駆動手段と、
前記光電変換手段および前記Ａ／Ｄ変換手段をクロックで駆動する第１の駆動手段と、
前記走査駆動手段をクロックで駆動する第２の駆動手段と、
前記第１の駆動手段へはスペクトラム拡散クロックを供給して前記光電変換手段および前記Ａ／Ｄ変換手段を駆動させ、前記第２の駆動手段へは基準クロックを供給して前記走査駆動手段を駆動させるタイミング発生手段と、
を有する画像読取装置と、
前記画像読取装置によって読み取られた画像を出力する画像出力手段と、
を備えたことを特徴とする画像形成装置。
【発明の詳細な説明】
【技術分野】
【０００１】
本発明は、画像読取装置、画像読取方法、その方法をコンピュータに実行させるプログラム、および画像形成装置に関するものである。
【背景技術】
【０００２】
従来、画像読取装置において、拡散スペクトラム発生器を備えてＣＣＤやアナログ処理の駆動クロックにスペクトラム拡散クロック（ＳＳＣＧクロック）により変調をかけると、サンプリングする信号の波形形状により読み取った画像に周期的なノイズが発生することがあった。これを解決するために、タイミング回路をアナログ部とデジタル部とに分けて、デジタル部は拡散クロックを使用し、アナログ部は基準クロック（ノンＳＳＣＧクロック）を使用する技術が考案されていた（特許文献１）。
【０００３】
【特許文献１】特開平２００１−０９４７３４号公報
【発明の開示】
【発明が解決しようとする課題】
【０００４】
しかしながら、特許文献１の技術によると、デジタル信号処理系のタイミング発生手段へ入力するクロックは、スペクトラム拡散クロックを使用するため、ＳＳＣＧの変調周波数による低周波の変動によって、モータ駆動特有の共振減少が発生するという問題があった。
【０００５】
また、走査駆動手段へＳＳＣＧクロックを使用するとＳＳＣＧの変調周波数による低周波の変動によって共振現象が発生する場合があり、３ラインＣＣＤを使用していると、読み取りの位置精度が劣化するという問題があった。
【０００６】
本発明は上記の問題に鑑みてなされ、その目的は、ＳＳＣＧの変調周波数によって起きる低周波変動によるモータ駆動特有の共振現象の発生を防止し、鮮明な画像を読み取ることができる画像読取装置を提供することである。
【課題を解決するための手段】
【０００７】
上述した課題を解決し、目的を達成するために、請求項１にかかる発明は、画像読取装置であって、光学系によって原稿画像を照明して生成される光像を光電変換する光電変換手段と、前記光電変換手段により変換されたアナログ信号をデジタル信号へ変換するＡ／Ｄ変換手段と、前記原稿と前記光学系とを相対的に移動させて副走査方向に走査させる走査駆動手段と、前記光電変換手段および前記Ａ／Ｄ変換手段をクロックで駆動する第１の駆動手段と、前記走査駆動手段をクロックで駆動する第２の駆動手段と、前記第１の駆動手段へはスペクトラム拡散クロックを供給して前記光電変換手段および前記Ａ／Ｄ変換手段を駆動させ、前記第２の駆動手段へは基準クロックを供給して前記走査駆動手段を駆動させるタイミング発生手段と、を備えたことを特徴とする。
【０００８】
また、請求項２にかかる発明は、請求項１に記載の画像読取装置において、前記タイミング発生手段は、内部ＰＬＬ（Ｐｈａｓｅ  Ｌｏｃｋｅｄ  Ｌｏｏｐ）回路を有し、前記第１の駆動手段へ供給するスペクトラム拡散クロックを、前記内部ＰＬＬ回路からの逓倍クロックによって発生させるものであることを特徴とする。
【０００９】
また、請求項３にかかる発明は、請求項１または２に記載の画像読取装置において、さらに、前記タイミング発生手段から前記第１の駆動手段へのクロック供給ルート上に、外部からスペクトラム拡散クロックを挿入する外部スペクトラム拡散挿入手段を備えたことを特徴とする。
【００１０】
また、請求項４にかかる発明は、請求項２に記載の画像読取装置において、前記タイミング発生手段は、さらに、前記タイミング発生手段から前記第１の駆動手段へのクロック供給ルート上に、前記タイミング発生手段の内部ＰＬＬ回路への入力前に外部へ出力する出力手段と、外部から前記内部ＰＬＬ回路へ入力する入力手段とを有するものであることを特徴とする。
【００１１】
また、請求項５にかかる発明は、請求項１〜４のいずれか１つに記載の画像読取装置において、前記タイミング発生手段は、シリアルデータによって制御するものであり、前記第２の駆動手段は、前記タイミング発生手段が発生する前記基準クロックを前記シリアルデータで供給されるものであることを特徴とする。
【００１２】
また、請求項６にかかる発明は、請求項１〜５のいずれか１つに記載の画像読取装置において、前記第１の駆動手段は、ＣＣＤドライバであり、前記第２の駆動手段は、モータドライバ１１７であることを特徴とする。
【００１３】
また、請求項７にかかる発明は、請求項２〜６のいずれか１つに記載の画像読取装置において、前記タイミング発生手段は、前記タイミング発生手段の電源ＯＮリセット後に前記第２の駆動手段へのクロック発生のリセットを解除し、前記内部ＰＬＬ回路の安定動作後に前記第１の駆動手段へのクロック発生リセットを解除するものであることを特徴とする。
【００１４】
また、請求項８にかかる発明は、請求項７に記載の画像読取装置において、前記タイミング発生手段は、前記第１の駆動手段へのリセット解除後にスペクトラム拡散の変調動作を開始することを特徴とする。
【００１５】
また、請求項９にかかる発明は、請求項１〜８のいずれか１つに記載の画像読取装置において、前記光電変換手段は、３ラインカラーＣＣＤを含む複数ラインＣＣＤを有するものであることを特徴とする。
【００１６】
また、請求項１０にかかる発明は、画像読取方法であって、光学系によって原稿画像を照明して生成される光像を光電変換する光電変換工程と、前記光電変換工程により変換されたアナログ信号をデジタル信号へ変換するＡ／Ｄ変換工程と、前記原稿と前記光学系とを相対的に移動させて副走査方向に走査させる走査駆動工程と、前記光電変換工程での光電変換および前記Ａ／Ｄ変換工程でのＡ／Ｄ変換をクロックで駆動する第１の駆動工程と、前記走査駆動工程での走査をクロックで駆動する第２の駆動工程と、前記第１の駆動工程において前記光電変換およびＡ／Ｄ変換を行わせるスペクトラム拡散クロックを供給し、前記第２の駆動工程において走査させる基準クロックを供給するタイミング信号発生工程と、を備えたことを特徴とする。
【００１７】
また、請求項１１にかかる発明は、プログラムであって、請求項１０に記載された画像読取方法をコンピュータに実行させることを特徴とする。
【００１８】
また、請求項１２にかかる発明は、画像形成装置であって、光学系によって原稿画像を照明して生成される光像を光電変換する光電変換手段と、前記光電変換手段により変換されたアナログ信号をデジタル信号へ変換するＡ／Ｄ変換手段と、前記原稿と前記光学系とを相対的に移動させて副走査方向に走査させる走査駆動手段と、前記光電変換手段および前記Ａ／Ｄ変換手段をクロックで駆動する第１の駆動手段と、前記走査駆動手段をクロックで駆動する第２の駆動手段と、前記第１の駆動手段へはスペクトラム拡散クロックを供給して前記光電変換手段および前記Ａ／Ｄ変換手段を駆動させ、前記第２の駆動手段へは基準クロックを供給して前記走査駆動手段を駆動させるタイミング発生手段と、を有する画像読取装置と、前記画像読取装置によって読み取られた画像を出力する画像出力手段と、を備えたことを特徴とする。
【発明の効果】
【００１９】
請求項１にかかる発明によれば、一般に画像読取装置では光電変換手段であるＣＣＤを駆動するのに転送クロック×２、リセットクロック、クランプクロック、最終段クロック等の多数のクロックを使用しているので、高速な駆動クロック（数ＭＨｚ〜数十ＭＨｚ）の基本周波数成分の高調波が発生する。本発明では少なくとも光電変換手段（ＣＣＤ部）とＡ／Ｄ変換手段にスペクトラム拡散クロック（ＳＳＣＧクロック）で駆動することでＥＭＩ（電磁妨害）を低減するという効果を奏する。また、放射電磁波のレベルが低くなるので近傍の他の機器が誤動作する危険性を減じることができる。また、走査駆動手段として光学系を駆動するため第２の駆動手段（例えばパルスモータドライバ１１７）へのクロックを低速（数ＫＨｚ〜数十ＫＨｚ）なものとして立ち上がり、立ち下がりを鈍らせることが可能であり放射電磁波のレベルを非常に低くして問題を起こさせないようにすることができる。本発明では走査駆動手段へ基準クロック（ノンＳＳＣＧクロック）を供給するのでＳＳＣＧの変調周波数による低周波の変動によって、モータ駆動特有の共振現象が発生することを未然に防止することができる。走査駆動手段へＳＳＣＧクロックを使用するとＳＳＣＧの変調周波数による低周波の変動によって共振現象が発生することにより３ラインＣＣＤを使用する場合において、読み取りの位置精度が劣化するのであるが、このような劣化現象を防ぐことができる。また、画像処理に関しては、自動原稿色判定（黒判定、灰色判定等）や自動画像分離（文字判定、網点判定）の領域を判定する位置精度が悪化して判定不良による異常画像を引き起こす可能性を減じることができる。また、本発明は一つのタイミング発生手段でＳＳＣＧクロックを必要する光電変換手段を含む信号処理部へのクロック供給と、基準クロックを必要とする走査駆動手段へクロックを供給できるので、コストダウンも図ることができるという効果を奏する。
【００２０】
また、請求項２にかかる発明によれば、ゲートの遅延量が積算する方式ではない内部ＰＬＬ回路の逓倍回路を使用するので、光電変換手段への駆動クロックの正確な位相調整・パルス幅調整が可能となるという効果を奏する。
【００２１】
また、請求項３にかかる発明によれば、ＳＳＣＧクロックを第１の駆動手段へ供給するための外部ＳＳＣＧデバイスを接続することができるという効果を奏する。
【００２２】
また、請求項４にかかる発明によれば、内部ＰＬＬ回路の前からのクロックを取り出すことによりＳＳＣＧの周波数レンジを高くしないという効果を奏する。
【００２３】
また、請求項５にかかる発明によれば、内部ＰＬＬ回路のロック時間を待つことなしにシリアル通信が可能となるので、モータ速度プロフィールデータ送信後のスキャン動作までの待ち時間を非常に短くできるという効果を奏する。
【００２４】
また、請求項６にかかる発明によれば、ＣＣＤは高容量負荷なので複数のＣＣＤドライバでクロック供給しているが、このクロックをＳＳＣＧクロックを使用することで放射ノイズを大幅に低減することができる。また、モータドライバ１１７の駆動クロックによる放射ノイズはほとんど無いので、基準クロックで動作させる構成とすることにより読取位置精度を高くすることができ、また、共振現象を防止することができるという効果を奏する。
【００２５】
また、請求項７にかかる発明によれば、電源ＯＮ後のリセット手順として、第１の駆動手段のクロックと第２の駆動手段のクロックのリセット解除を分けることにより、第２の駆動手段のリセット後に内部ＰＬＬ回路のロック時間を待つことなしに第２の駆動手段で動作するシリアル通信が可能な状態となることによって、モータ駆動の速度プロフィールデータを待ち時間なしに送ることができるという効果を奏する。
【００２６】
また、請求項８にかかる発明によれば、第１の駆動手段のリセット解除は内部ＰＬＬ回路の最大ロック時間以降となっており、このリセット解除前にＳＳＣＧによる拡散クロックが入力することによるタイミングズレで発生する１クロックズレを防止することができるという効果を奏する。
【００２７】
また、請求項９にかかる発明によれば、特に３ラインＣＣＤではＲＧＢのライン間隔があり、色毎に読取位置が異なるため、同じ原稿位置での各ＲＧＢの画像データに与える速度変動レベルが異なってくるので、速度変動のない時の読み取りとは異なり、原稿色判定や画像分離の誤判定を起こすのであるが、この現象を防止できるという効果を奏する。
【００２８】
また、請求項１０にかかる発明によれば、光電変換工程とＡ／Ｄ変換工程においてスペクトラム拡散クロック（ＳＳＣＧ）で駆動することでＥＭＩ（電磁妨害）を低減することができ、また、放射電磁波のレベルが低くなるので近傍の他の機器が誤動作する危険性を減じることができる。また、走査駆動工程においては光学系を駆動するための例えばパルスモータドライバ１１７のような駆動手段へのクロックを低速なものとして立ち上がり、立ち下がりを鈍らせることが可能であり放射電磁波のレベルを非常に低くして問題を起こさせないようにすることができるという効果を奏する。また、走査駆動工程において基準クロック（ノンＳＳＣＧクロック）を供給するのでＳＳＣＧの変調周波数による低周波の変動によって、モータ駆動特有の共振現象が発生することを未然に防止することができる。走査駆動工程においてＳＳＣＧクロックを使用するとＳＳＣＧの変調周波数による低周波の変動によって共振現象が発生することにより３ラインＣＣＤを使用する場合においては、読み取りの位置精度が劣化するのであるが、このような劣化現象を防ぐことができる。また、画像処理に関しては、自動原稿色判定（黒判定、灰色判定等）や自動画像分離（文字判定、網点判定）の領域を判定する位置精度が悪化して判定不良による異常画像を引き起こす可能性を減じることができるという効果を奏する。
【００２９】
また、請求項１１にかかる発明によれば、請求項１０に記載された画像読取方法をコンピュータに実行させることができるという効果を奏する。
【００３０】
また、請求項１２にかかる発明によれば、請求項１に記載された画像読取装置を備えた画像形成装置を提供できるという効果を奏する。
【発明を実施するための最良の形態】
【００３１】
（１．実施の形態）
以下に添付図面を参照して、この発明にかかる画像読取装置、画像読取方法、その方法をコンピュータに実行させるプログラム、および画像形成装置の最良な実施の形態を詳細に説明する。
【００３２】
図１−１は、本発明の実施の形態による画像形成装置における画像読取装置の機能的ブロック図である。画像読取装置は、全体を制御するシステム制御ユニット１と、システム制御ユニット１によって制御されて原稿を読み取る読み取りユニット２とを備える。
【００３３】
システム制御ユニット１は、スペクトラム拡散クロックを発生するＳＳＣＧ部１４０と、基準クロックを発生し、ＳＳＣＧ部１４０を制御するタイミング回路１１２とを備える。
【００３４】
読み取りユニット２は、光学系により照射された原稿の光像をアナログ情報に変換するＣＣＤ１１１と、ＣＣＤ１１１によって取得されたアナログ情報をデジタル情報に変換するＡ／Ｄ変換部１１９と、ＣＣＤ１１１および光学系を副走査方向に移動させるパルスモータ１０８とを備える。
【００３５】
本発明の実施の形態による画像形成装置における画像読取装置は、タイミング回路１１２で発生する基準クロックでパルスモータ１０８を駆動させ、ＳＳＣＧ部１４０で発生するスペクトラム拡散クロックでＣＣＤ１１１およびＡ／Ｄ変換部１１９を駆動するように、タイミング回路１１２が制御する。
【００３６】
この構成によって、少なくともＣＣＤ部とＡ／Ｄ変換部分をスペクトラム拡散クロックで駆動するのでＥＭＩ（電磁妨害）を低減することができる。一方、光学系を移動させる手段としてパルスモータドライバ１１７へは低速（数ＫＨｚ〜数十ＫＨｚ）の基準クロックを供給するので、立ち上がり、立ち下がりを鈍らせることが可能であり放射電磁波のレベルは非常に小さくすることができ、また、ＳＳＣＧの変調周波数による低周波の変動に起因するモータ駆動特有の共振現象が発生することを防止することができる。このようなモータ駆動時の共振現象が発生すると、一般に使用される３ラインＣＣＤの読み取りの位置精度が劣化するのであるが、本発明ではそれが防止されるので、高品質な読み取りが可能になる。以下、実施の形態による画像形成装置について、詳細に説明する。
【００３７】
図１−２は、本発明の実施の形態による画像形成装置の説明図である。画像形成装置は、システム制御ユニット１、画像読み取りユニット２、画像処理ユニット３、画像書き込みユニット４、操作部ユニット５、複写機機構部６、画像表示ユニット７、ドラムユニット８、中間転写部９、現像部１０、給紙部１１、および定着部１２を備える。
【００３８】
画像形成装置においては、画像読み取りユニット２により、原稿を光源により照射しながら原稿を走査して、原稿からの反射光を３ラインＣＣＤセンサにより画像を読み取り、画像データを画像処理ユニット３に送る。画像処理ユニット３では、スキャナγ補正、色変換、主走査変倍、画像分離、加工、エリア処理、諧調補正処理などの画像処理を行なった画像データを画像書き込みユニット４へ送る。画像書き込みユニット４では、画像データに応じてＬＤ（レーザーダイオード）の駆動を変調する。
【００３９】
ドラムユニット８では一様に帯電された回転する感光体ドラムにＬＤからのレーザービームにより潜像を書き込み、現像部１０によりトナーを付着させて顕像化させる。感光体ドラム上に作られた画像は、中間転写部９の転写ベルト上に再転写される。中間転写ベルト上にはフルカラーコピーの場合４色（Ｂｋ、Ｃ、Ｍ、Ｙの４色）のトナーが順次重ねられる。フルカラーコピーの場合にはＢｋ、Ｃ、Ｍ、Ｙの４色作像および転写の工程が終了した時点で、中間転写ベルトとタイミングを合わせて、給紙部１１より転写紙が給紙され、転写部で中間転写ベルトから４色同時に転写紙にトナーが転写される。トナーが転写された転写紙は搬送部を経て定着部１２に送られ、定着ローラと加圧ローラによって熱定着され排紙される。
【００４０】
また、コピーモード等のユーザの設定については、操作部ユニット５によって操作者からの入力を受け付ける。設定入力を受け付けたコピーモード等の操作モードは、システム制御ユニット１に送られ、システム制御ユニット１では設定されたコピーモードを実行する制御処理を行う。この時、システム制御ユニット１は、画像読み取りユニット２、画像処理ユニット３、画像書き込みユニット４、画像表示ユニット７等のユニットに対して制御指示を行う。
【００４１】
画像表示ユニット７に画像読み取りユニット２から読み取った画像を表示するには、システム制御ユニット１からの制御指示により、画像読み取りユニット２が原稿画像の読み取りをスタートし、画像読み取りユニット２からの画像信号に対して、画像処理ユニット３において画像表示装置で表示するのに適した画像処理を行った後、画像表示装置に原稿の画像データを出力する。
【００４２】
図２は画像表示ユニットの機能的ブロック図である。画像表示ユニット７は、ＦＩＦＯ（ラインバッファ）２１、ＤＲＡＭ２２、ＣＰＵ２３、ＶＲＡＭ２４、ＬＣＤコントローラ２５、ＬＣＤパネル２６、ＲＯＭ２７、ＳＲＡＭ２８、シリアルレベル変換２９、画像データレベル変換３０、およびキーボード３１を備え、システム制御部ユニット１および画像処理ユニット３と接続する。
【００４３】
画像処理ユニット３から出力された画像データは、図２に示すＦＩＦＯ２１を介して、ＣＰＵ２３内蔵のＤＭＡコントローラによって、画像データ格納用のＤＲＡＭ２２に格納される。画像表示ユニット７には画像データと共に画像データ制御信号も送られているので、有効画像領域だけを取り込む事が可能である。ＤＲＡＭ２２に格納された有効画像データは、ＣＰＵ２３によってＶＲＡＭ２４にＤＭＡ転送される。この時ＣＰＵ２３によってＤＲＡＭ２２内の画像データの任意の部分を転送したり、拡大・縮小・間引き等の処理を行う事も可能である。ＶＲＡＭ２４に転送された画像データは、ＬＣＤコントローラ２５の制御によりＬＣＤパネル２６に表示される。
【００４４】
図３は、画像表示ユニットの画面および操作系の説明図である。画像表示ユニット７は画像をＬＣＤに表示させ、その画面内で編集・加工のエリア指定／モード設定を行うためのディスプレイエディターを兼用しても良い。図３に示した各設定キーは、図２の機能的ブロック図においてはキーボード３１に対応する。本実施の形態では、読み取りキーと明るさ調整キーが特に重要である。
【００４５】
図４は、操作部ユニットの一例を示す模式図である。操作部ユニット７は、各種のキー即ち、テンキー４１、モードクリア／予熱キー４２、割り込みキー４３，画質調整キー４４、プログラムキー４５、プリントスタートキー４６、クリア／ストップキー４７、エリア加工キー４８、輝度調整つまみ４９、ＬＣＤ（液晶パネル）５０上に配置されたタッチパネルキー、および初期設定キー５１を備える。
【００４６】
テンキー４１はコピー枚数などの数値入力を行う場合に使用する。モードクリア／予熱キー４２は設定したモードを取り消して初期設定に戻す場合や、一定時間以上の連続押下で予熱状態とする設定を行う。割り込みキー４３はコピー中に割り込み、別の原稿のコピーを行う場合に使用する。画質調整キー４４は画質の調整を行うときに使用する。プログラムキー４５はよく使用するモードの登録や呼出を行う場合に使用する。プリントスタートキー４６はコピー開始の為のキーである。クリア／ストップキー４７は入力した数値をクリアする場合や、コピー途中でコピーを中断する場合に使用する。エリア加工キー４８は画像表示ユニット（ディスプレイエディター）上で、エリア加工・編集等のモードを使用する場合に使用する。
【００４７】
輝度調整つまみ４９はＬＣＤパネルの画面の明るさを調整する。また、タッチパネルキー５０はＬＣＤパネル上に表示された各種のキーの範囲と同じ範囲にキーエリアを設定して、タッチパネルが前記設定された範囲内の押下を検出すると、その設定されたキーの処理を行う。初期設定キー５１はユーザが各初期設定を選択できる時に押下する。
【００４８】
図５は、ＬＣＤ（液晶表示画面）の一例を示す図である。図５に示されるように、ＬＣＤ画面上ではカラーモード、自動濃度、マニュアル濃度、画質モード、自動用紙選択、用紙トレイ、用紙自動変倍、等倍、ソート、スタック等のモード選択表示があり、さらにクリエイト、カラー加工、両面、変倍等のサブ画面選択表示もある。各表示の大きさと同様の大きさのキーがタッチパネル上に設定されている。
【００４９】
図６は、図５における変倍キー押下による画面展開の一例を示す図である。変倍キーが押下されると、画面下方から変倍設定画面がスクロールアップされる。変倍設定画面には定型変倍（予め変倍率が設定されている変倍モード）用のキーが設定されている。例えば７１％の部分のタッチパネルキーが操作者によって押下されると、押下による入力を受け付けて、変倍率７１％が選択される。またこの画面には定型変倍以外の変倍モードの選択が受け付けられるように、ズームキー、寸法変倍キー、独立変倍／拡大連写キーが画面左側に設定されている。
【００５０】
図７は、タッチパネル検出回路の一例を表す図である。図８は、図７に示すタッチパネルの設定を説明する図である。タッチパネル検出回路は、タッチパネル７１からの入力を受け付け、Ａ−Ｄコンバータ７３およびコントローラ７２を有する。コントローラ７２は検出端子をＨｉｇｈ状態にして、Ｘ１、Ｘ２、Ｙ１、Ｙ２を設定する。図８は、Ｘ１、Ｘ２、Ｙ１、Ｙ２の設定状態を表している。Ｙ１、Ｙ２の回路は抵抗でプルアップされているので、タッチパネルＯＦＦのときＹ１は＋５Ｖになり、ＯＮの時は０Ｖになる。従って、Ａ／Ｄコンバータ７３の出力からＯＮ／ＯＦＦの状態を確認する。コントローラ７２は、タッチパネルＯＮの状態を検知すると測定モードに切り換える。Ｘ方向の時はＸ１は＋５Ｖ、Ｘ２は０Ｖになり、入力位置の電位がＹ１を通してＡ／Ｄコンバータに接続されて座標が算出される。Ｙ方向の座標も回路を切り換えて同様に算出される。このような検出回路によって、タッチパネル７１の押下位置が検出される。
【００５１】
図９は、操作部ユニットの機能的ブロック図である。操作部ユニット５においては、ＣＰＵ５３からのアドレス信号はアドレスラッチ５４に取り込まれ、ＣＰＵ５３からの信号によりここでコントロールされる。アドレスラッチ５４を出たアドレス信号はその一部がアドレスデコーダー５６に入り、ここで各ＩＣへのチップセレクト信号を作り、メモリマップの作成に使用される。また、アドレスはＲＯＭ６３，ＲＡＭ６４等のメモリやＬＣＤコントローラ５５に入りアドレス指定に使用される。一方ＣＰＵ５３からのデーターバスは、メモリやＬＣＤコントローラ５５に接続され、データの双方向通信が行われる。ＬＣＤコントローラ５５はＣＰＵ５３からのアドレスバス、データーバスの他に、ＬＥＤドライバ５９、キーボード６０、アナログタッチパネル６１、ＬＣＤモジュール６２、そして表示データ用のＲＯＭ６３、およびＲＡＭ６２等が接続されている。
【００５２】
ＬＣＤコントローラ５５はキーボード６６からの信号やタッチパネル６１からの信号によりＲＯＭ６３、ＲＡＭ６４のデータから表示データを作成し、ＬＣＤ上への表示をコントロールする。また、ＣＰＵ５３には光ファイバー用コネクタ６５が接続されており、外部との通信を行っている。
【００５３】
図１０は、実施の形態による画像読取装置の全体ブロック図のうち主として読み取り部分を説明する図である。図１１は、実施の形態による画像読取装置の全体ブロック図のうち主として画像処理部分を説明する図である。図１０におけるシェーディング補正１２２は、図１１に示すように各部と接続する。図１０と図１１とは、１つの画像読取装置の全体を２つに分けて示したものである。スキャナＩＰＵ制御部上のＣＰＵ１０１は、ＲＯＭ１０２に格納されたプログラムを実行し、ＲＡＭ１０３にデータ等を読み書きする事でスキャナ・ＩＰＵ部の全体の制御を行っている。また、ＣＰＵ１０１は、システム制御部１０４とシリアル通信で接続されおり、コマンド及びデータの送受信により指令された動作を行う。さらに、システム制御部１０４は操作表示部１０５とシリアル通信で接続されており、ユーザからのキー入力指示により動作モード等の指示を設定する事ができる。
【００５４】
ＣＰＵ１０１はＩ／Ｏ１０６である原稿検知センサ、ＨＰセンサ、圧板開閉センサ、冷却ファン等に接続されており検知及びＯＮ／ＯＦＦの制御をしている。スキャナモータドライバ１１７１０７はタイミング回路１１２からのＰＷＭ方式による出力によりドライブされ励磁パルスシーケンスを発生し原稿走査駆動用のパルスモータ１０８を駆動する。
【００５５】
原稿画像はランプインバータ１０９に駆動されたキセノンランプ１１０の光量出力により光信号を複数ミラー及びレンズを通り３ラインＣＣＤ１１１に結像される。３ラインＣＣＤ１１１はスキャナＩＰＵ（Ｉｍａｇｅ  Ｐｒｏｃｃｅｓｉｎｇ  Ｕｎｉｔ）制御上のタイミング回路１１２によって、各駆動クロックを与えられて各ＲＧＢのｏｄｄ，ｅｖｅｎのアナログの画像信号をエミッタホロワ１１３〜１１５に出力している。エミッタホロワ１１３〜１１５からアナログ処理回路１１６〜１１８へ入力された信号はアナログ処理回路１１６〜１１８内で減算法ＣＤＳを実行し、ＣＣＤのオプティカルブラック部でラインクランプを実施し、ｏｄｄとｅｖｅｎの出力差を補正し、それぞれのアンプゲイン調整を行う。ゲイン調整後はマルチプレクサで合成して、最終的にＤＣレベルのオフセット調整後にＡ／Ｄコンバータ１１９〜１２１へ入力される。
【００５６】
Ａ／Ｄコンバータ１１９〜１２０へ入力されたアナログ信号はデジタル化されてシェーディング回路１２２へ入力される。シェーディング回路１２２では照明系の光量不均一やＣＣＤの画素出力のバラツキを補正する機能を持っている。シェーディング補正された画像データはライン間補正メモリ１２３、１２４へ入力されて３ラインＣＣＤのＢとＧ、ＢとＲのライン数の画像データをメモリで遅延させてＢＧＲの読取画像の１ライン以上の位置合わせを行いドット補正１２５へ出力する。
【００５７】
ドット補正１２５ではライン間補正メモリから出力された画像データをＲＧＢデータの１ライン以内ドットのズレを補正する。スキャナγ補正１２６では、反射率リニアデータに対してルックアップテーブル方式で補正を施す。この補正後の画像データは、自動原稿色判定回路１２８と自動画像分離回路１２９、およびディレーメモリ（１２７）を介してＲＧＢフィルタ、色変換処理、変倍処理、クリエイト１３０に入力される。
【００５８】
自動原稿色判定回路１２８ではＡＣＳ（有彩／無彩判定）処理を行って、自動画像分離回路１２９に入力し文字／網点の分離処理を施す。ＡＣＳ処理では黒、及び灰色の判定を行う。像域分離処理ではエッジ判定（白画素と黒画素の連続性により判定）、網点判定（画像中の山／谷ピーク画素の繰り返しパターンにより判定）、写真判定（文字・網点外で画像データある場合）を行い文字及び印刷（網点）部分、写真部分の領域を判定してＣＰＵ１０１に伝え、後段のＲＧＢフィルタ、色変換プリンタγ補正、ＹＭＣＫフィルタ、階調処理でパラメータや係数の切り換えに使用される。
【００５９】
画像データはＲＧＢフィルタ１３０に入力される。ＲＧＢフィルタ１３０ではＲＧＢのＭＴＦ補正、平滑化、エッジ強調、スルー等のフィルタ係数を先の判定領域により切り換え設定される。色変換処理ではＲＧＢデータからＹＭＣＫ変換、ＵＣＲ、ＵＣＡ処理を実行する。変倍処理に入力され主走査の画像データに対して拡大／縮小処理を実行する。画像表示部１３２の分岐はこの処理後に行われる。インタフェース（Ｉ／Ｆ）を介して画像表示部１３２に接続されている。クリエイトではクリエイト編集、カラー加工を行う。クリエイト編集では斜体、ミラー、影付け、中抜き処理等を実行する。カラー加工では、カラー変換、指定色消去、アンダーカラー等を実行する。
【００６０】
プリンタγ補正・ＹＭＣＫフィルタ１３１では、先の判定領域に基づいてプリンタγ変換とフィルタ係数を設定する。階調処理ではディザ処理を実行し、ビデオコントロールでは書き込みタイミング設定や画像領域、白抜き領域の設定やグレースケールやカラーパッチ等のテストパターン発生を行う事ができ、最終画像データを書き込み処理でＬＤ（レーザーダイオード）へ出力できるように処理されてＬＤへ出力する。各機能処理はＣＰＵ１０１に接続されおりＲＯＭ１０２に格納されているプログラムにより各処理の設定と動作をシステム制御部１の指示により実行する。
【００６１】
図１２および１３−１は、実施の形態による画像読取装置の画像読取手順を説明する図である。図１２には、主にタイミング回路１１２およびＣＣＤドライバ駆動部１３３が機能的に示されている。ここでタイミング回路１１２は、図１０および１１に示されたシェーディング補正回路１２２、Ａ／Ｄコンバータ１１９〜１２１、およびアナログ処理回路１１６〜１１８に接続する。また、ＣＣＤ駆動部１３３は３ラインＣＣＤへ接続されている。
【００６２】
タイミング回路１１２、３ラインＣＣＤ１１１、および図１０、１１では記載しなかった、この間に入るＣＣＤ駆動部１３３について説明する。タイミング回路１１２では外部発振子の入力をクロックジェネレータを介して基準クロックとしてモータ制御回路、ＣＰＵ＿Ｉ／Ｆの駆動クロック、レジスタ設定部コントロール回路へ供給されている。
【００６３】
モータ制御回路は基準クロックによってＰＷＭクロックを第２の駆動手段であるモータドライバ１１７へ供給する。ＰＷＭクロックはＳＳＣＧの変調クロックを使用していないので正確な読取位置精度を出すことが可能である。また、ＳＳＣＧの変調クロックによるモータ特有の共振現象の発生を押さえることが可能である。同様にＣＰＵ＿Ｉ／Ｆ部のシリアル通信部においても基準クロックで動作を行う構成としている。
【００６４】
次に、ＣＣＤ１１１およびＡ／Ｄ変換部１１９へ供給するＳＳＣＧクロックの生成に関して説明する。基準クロックは外部ＳＳＣＧへクロックを供給するためタイミング回路の出力ピンに接続されている。外部ＳＳＣＧのＳＳＣＧクロックはタイミング回路の入力ピンにより取り込まれる。ＳＳＣＧクロックは、内部ＰＬＬ回路の入力としてＣＰＵ＿Ｉ／Ｆを介してレジスタの設定で分周器を設定して４逓倍クロックを発生する。このクロックがもとになって各種クロックを発生する。本タイミング回路のＣＣＤクロック発生回路から、ＣＣＤを駆動する第１相転送クロック、第２相転送クロック、最終段転送クロック、リセットクロック、クランプクロック、シフトゲートクロックをＳＳＣＧクロックとして発生する。このクロックは後段のパルス調整回路に入力されてレジスタ設定部のコントロールに従い個々のクロックパルスの位相シフト量とパルス幅増減量を調整して出力する。
【００６５】
このパルス位相シフト量は、上述した４逓倍クロックの半周期単位でシフト量を調整する機能を持っている。また、パルス幅増減量も上記の４逓倍クロックの半周期単位でパルス幅量を増減する機能を持っている。これらの出力がＣＣＤ駆動部１３３へ入力される。
【００６６】
図１３−２は、実施の形態による画像読み取り手段の手順を説明するフローチャートである。原稿読み取りが開始されると、ＳＳＣＧ部１４０はスペクトラム拡散クロックでＣＣＤ１１１およびＡ／Ｄ変換部１１９を駆動させる（ステップＳ１０１）。ＣＣＤ１１は原稿画像を読み取って光電変換し（ステップＳ１０２）、Ａ／Ｄ変換部１１９は光電変換されたアナログ信号をデジタル信号へ変換する（ステップＳ１０３）。ＣＣＤ１１１は、最終ラインまで読み取ったか否かを判定し（ステップＳ１０４）、最終ラインまで読み取っていない場合は（ステップＳ１０４のＮｏ）、タイミング回路１１２は基準クロックでパルスモータ１０８を駆動させて副走査方向へずらし（ステップＳ１０５）、ステップＳ１０１に戻る。最終ラインまで読み取った場合は（ステップＳ１０４のＹｅｓ）、そのまま終了する。
【００６７】
図１４は、ＣＣＤ駆動部および３ラインＣＣＤのブロック図である。図１５は、ＣＣＤ駆動タイミングチャートを示したグラフである。図１４において、３ラインＣＣＤの第１、２相転送クロックは入力容量がＭＡＸ１５０ｐＦ、ＴＹＰ１００ｐＦの端子が各８端子ある。ここでは駆動ドライバとして、ＡＣＴ０４を使用した例である。本発明の例として６回路入りのＡＣＴ０４をＣＣＤ駆動ドライバとして示したが、８回路入りの例えばＡＣＴ２４０等を使用しても実現可能である。
【００６８】
図１６は、パルス調整機能について説明する図である。図１６を参照しながら、パルス位相シフト量調整機能を説明する。ＸＰＨ２Ｂ、ＸＲＳ、ＸＣＰの各位相シフト量は図１５で示したタイミングチャートを位相シフト量０のデフォルトとしている。本実施の形態では、位相シフト量はいずれも−４〜＋４範囲としているが、一周期位相シフトできる構成とすることであらゆるタイミングに対応できる。図１６では、位相シフト量はＰＬＬで発生する４逓倍クロックの半クロック単位の立ち下がりエッジ基準で位相シフト０を実線で示している。点線は位相シフト−２、−１、＋１、＋２を示している。位相シフトの−４、−３、＋３、＋４は同様に位相シフトするが、図１６では省略している。ＸＰＨ２Ｂ、ＸＲＳについて位相シフト例を示したが、ＸＣＰに関しては同様であるので省略する。
【００６９】
図１７は、パルス幅増減量調整機能について説明する図である。ＸＰＨ２Ｂ、ＸＲＳ、ＸＣＰの各パルス幅増減量は図１５で示したタイミングチャートをパルス幅増減量０のデフォルトとしている。本実施の形態ではいずれも、パルス幅増減量を−３〜＋３としているが、ＸＰＨ２Ｂ、ＸＲＳ、ＸＣＰは４逓倍の半クロック単位であると１６分割になるので最小１分割のパルスから最大１５分割のパルス幅まで取れる構成とすることも可能である。この構成であれば、あらゆるタイミングに対応できる。図１７は、ＸＰＨ２Ｂ、ＸＲＳのパルス幅増減量は−１、＋１の例を示している。パルス幅の増減は立ち上がりエッジ基準で行う。パルス幅増減量の−３、−２、＋２、＋３は同様に増減するが、図１７では省略している。ＸＣＰに関しては同様なので全て省略する。
【００７０】
図１８は、パルス調整機能レジスタの構成を説明する図である。位相シフト量調整機能レジスタは、各４ｂｉｔでデフォルトを０として±４まで設定できる１６ｂｉｔレジスタ構成となっている。パルス幅増減量調整機能レジスタは各３ｂｉｔで±３まで設定できる１６ｂｉｔレジスタ構成となっている。このように内部ＰＬＬ回路の逓倍回路によってパルス調整回路が動作している。
【００７１】
次に、タイミング回路のリセット動作について説明する。図１２において、外部リセットＩＣのリセット信号がタイミング回路１１２に入力される。入力された信号は、タイミング回路１１２内の内部リセット発生回路で各ブロックへのＲＳＴ１、ＲＳＴ２のリセット信号を発生する。
【００７２】
ＲＳＴ２は第２の駆動手段へクロック供給する回路（モータ駆動回路、ＣＰＵ＿Ｉ／Ｆ、レジスタ設定部）へのリセット信号である。ＲＳＴ１は第１の駆動手段へのクロック供給する回路（ＣＣＤクロック発生回路、Ａ／Ｄコンバータ、アナログ処理等の各信号処理のクロック発生回路）へのリセット信号である。
【００７３】
また、内部リセット発生回路では、外部ＳＳＣＧをＯＮするＳＳＣＧ＿ＯＮ信号を発生する。外部ＳＳＣＧではＳＳＣＧ＿ＯＮ信号で変調クロック出力し、ＯＦＦでは基準クロック（ノンＳＳＣＧクロック）を発生するようになっている。
【００７４】
本実施の形態では電源ＯＮ後からこのＳＳＣＧ＿ＯＮ信号は内部ＰＬＬ回路がロックする前にＳＳＣＧによる拡散クロックを入力することによる誤動作（変調クロックによるタイミングズレで発生する１クロックズレ）を防止できる。
【００７５】
図１９は、電源ＯＮ後のリセットシーケンスを説明するタイミングチャートである。電源ＯＮ後は、外部リセットＩＣによって電源の立ち上がり時間を待った時間Ａ後にリセット解除される。この外部リセット信号がタイミング回路に入力されて少なくとも内部クロック３段で同期を取った時間Ｂ後のＲＳＴ２のリセット信号を発生する。その後は内部ＰＬＬ回路のロック時間を待った時間Ｃ後（２．５〜１５０ｍｓ）に信号処理系のＲＳＴ１のリセット信号を発生する。これにより、ＲＳＴ２のリセット解除後にＣＰＵ＿Ｉ／Ｆのシリアル通信が可能となる。ＲＳＴ１の内部ＰＬＬ回路のロック時間待ちのリセット解除を待つことなく、例えば、モータ駆動回路で必要なモータ速度プロフィールデータをシリアル通信によりＣＰＵから受け取ることが可能となりスキャン動作までの時間短縮が可能となる。
【００７６】
本実施の形態ではＣＰＵ＿Ｉ／Ｆがシリアル通信の場合を示したが、１６ｂｉｔや３２ｂｉｔのバス接続のインタフェースでも同様に基準クロックで動作する構成とすることが可能である。また、ＲＳＴ２のリセット解除後の時間Ｄ後にＳＳＣＧのＯＮ信号を発生する。ＳＳＣＧ＿ＯＮ信号は本実施例ではタイミング回路の内部リセット発生回路から発生させたが、別の回路ブロックや外部回路、ＣＰＵのポートからの信号でもＲＳＴ２のＤ時間後に発生できる信号であればよい。
【００７７】
実施の形態による画像読取装置では、光電変換手段であるＣＣＤを駆動するのに転送クロック、リセットクロック、クランプクロック、最終段クロック等の多数のクロックを使用しているので、高速な駆動クロック（数ＭＨｚ〜数十ＭＨｚ）の基本周波数成分の高調波が発生するのであるが、最小システムとして少なくともＣＣＤ１１１とＡ／Ｄ変換部１１９にスペクトラム拡散クロック（ＳＳＣＧ）で駆動することによりＥＭＩを低減させることができ、また、放射電磁波のレベルを低下させるので近傍の機器が誤動作することを防ぐことができる。
【００７８】
一方、走査駆動手段として光学系を駆動するためのパルスモータドライバ１１７へのクロック供給は低速（数ＫＨｚ〜数十ＫＨｚ）であるので、立ち上がり、立ち下がりを鈍らせることができ、放射電磁波のレベルを非常に低く抑えることができる。このように、走査駆動手段へ基準クロック（ノンＳＳＣＧクロック）を供給するので、ＳＳＣＧの変調周波数による低周波の変動によってモータ駆動特有の共振現象が発生することを未然に防止することができる。
【００７９】
走査駆動手段にＳＳＣＧクロックを使用すると、ＳＳＣＧの変調周波数による低周波の変動によって共振現象が発生する場合があり、３ラインＣＣＤを使用すると読み取りの位置精度が劣化する。また、画像処理部では最適な画像処理を行うために自動原稿色判定（黒判定、灰色判定等）や自動画像分離（文字判定、網点判定）の領域を判定する位置精度が悪化して判定不良による異常画像を引き起こす虞があるのであるが、本発明でこのような障害を防ぐ効果がある。
【００８０】
また、本実施の形態による画像読取装置によると、一つのタイミング発生手段でＳＳＣＧクロックを必要する光電変換手段を含む信号処理部へのクロック供給と基準クロックを必要する走査駆動手段へクロックを供給ができるのでコストダウンもはかれる効果がある。
【００８１】
また、ゲートの遅延量が積算する方式ではない内部ＰＬＬ回路の逓倍回路を使用するので、光電変換手段への駆動クロックの正確な位相調整・パルス幅調整ができる。
【００８２】
また、ＳＳＣＧクロックを供給するための外部ＳＳＣＧデバイスを接続する構成とすることができる。
【００８３】
また、内部ＰＬＬ回路の前からのクロックを取り出すことによりＳＳＣＧの周波数レンジを抑えることができる。
【００８４】
また、内部ＰＬＬ回路のロック時間を待つことなしにシリアル通信可能であるので、モータ速度プロフィールデータ送信後のスキャン動作までの待ち時間を短くできる。
【００８５】
また、ＣＣＤは高容量負荷なので複数のＣＣＤドライバでクロック供給しているが、このクロックをＳＳＣＧクロックを使用することで放射ノイズを大幅に低減することができる。また、モータドライバ１１７の駆動クロックによる放射ノイズはほとんど無いので、基準クロックで動作させて読取位置精度を高くし、共振現象を防止することができる。
【００８６】
また、電源ＯＮ後のリセット手順として、ＣＣＤ、Ａ／Ｄ変換部（第１の駆動手段）のクロックと、パルスモータドライバ１１７（第２の駆動手段）のクロックのリセット解除をわけることにより、第２の駆動手段のリセット後に内部ＰＬＬ回路のロック時間を待つことなしに第２の駆動手段で動作するシリアル通信が可能な状態となることによって、モータ駆動の速度プロフィールデータを待ち時間なしに送ることができる。
【００８７】
また、第１の駆動手段のリセット解除は内部ＰＬＬ回路の最大ロック時間以降とすることが望ましい。このリセット解除前にＳＳＣＧによる拡散クロックが入力することによるタイミングズレで発生する１クロックズレを防止することができるからである。
【００８８】
また、特に３ラインＣＣＤではＲＧＢのライン間隔があり、色毎に読取位置が異なるため、同じ原稿位置での各ＲＧＢの画像データに与える速度変動レベルが異なってくる現象が起きやすく、これは速度変動のない時の読み取りとは異なって原稿色判定や画像分離の誤判定を起こすことがあるのに対して、実施の形態による画像読取装置では、これらの現象を防止することができる。
【００８９】
また、実施の形態による画像形成装置は、このような画像読取装置を備えて高品質の読み取りによって、高品質な画像を形成できる。
【００９０】
（２．ハードウェア構成）
図２０は、かかる画像形成装置のハードウェア構成を示すブロック図である。図に示すように、この画像形成装置は、コントローラ９１０とエンジン部９６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ９１０は、画像形成装置全体の制御と画像読取、画像処理、操作部（不図示）からの入力を制御するコントローラである。エンジン部９６０は、ＰＣＩバスに接続可能な画像処理エンジンなどであり、例えば取得した画像データに対して誤差拡散やガンマ変換などの画像処理部分が含まれる。
【００９１】
コントローラ９１０は、ＣＰＵ９１１と、ノースブリッジ（ＮＢ）９１３と、システムメモリ（ＭＥＭ−Ｐ）９１２と、サウスブリッジ（ＳＢ）９１４と、ローカルメモリ（ＭＥＭ−Ｃ）９１７と、ＡＳＩＣ（Ａｐｐｌｉｃａｔｉｏｎ  Ｓｐｅｃｉｆｉｃ  Ｉｎｔｅｇｒａｔｅｄ  Ｃｅｒｃｕｉｔ）９１６と、ハードディスクドライブ９１８とを有し、ノースブリッジ９１３とＡＳＩＣ９１６との間をＡＧＰ（Ａｃｃｅｌｅｒａｔｅｄ  Ｇｒａｐｈｉｃｓ  Ｐｏｒｔ）バス９１５で接続した構成となる。また、ＭＥＭ−Ｐ９１２は、ＲＯＭ（Ｒｅａｄ  Ｏｎｌｙ  Ｍｅｍｏｒｙ）９１２ａと、ＲＡＭ（Ｒａｎｄｏｍ  Ａｃｃｅｓｓ  Ｍｅｍｏｒｙ）９１２ｂとをさらに有する。
【００９２】
ＣＰＵ９１１は、画像形成装置の全体制御を行うものであり、ＮＢ９１３、ＭＥＭ−Ｐ９１２およびＳＢ９１４からなるチップセットを有し、このチップセットを介して他の機器と接続される。
【００９３】
ＮＢ９１３は、ＣＰＵ９１１とＭＥＭ−Ｐ９１２、ＳＢ９１４、ＡＧＰバス９１５とを接続するためのブリッジであり、ＭＥＭ−Ｐ９１２に対する読み書きなどを制御するメモリコントローラと、ＰＣＩマスタおよびＡＧＰターゲットとを有する。
【００９４】
ＭＥＭ−Ｐ９１２は、プログラムやデータの格納用メモリ、プログラムやデータの展開用メモリなどとして用いるシステムメモリであり、ＲＯＭ９１２ａとＲＡＭ９１２ｂとからなる。ＲＯＭ９１２ａは、プログラムやデータの格納用メモリとして用いる読み出し専用のメモリであり、ＲＡＭ９１２ｂは、プログラムやデータの展開用メモリ、画像処理時の画像描画メモリなどとして用いる書き込みおよび読み出し可能なメモリである。
【００９５】
ＳＢ９１４は、ＮＢ９１３とＰＣＩデバイス、周辺デバイスとを接続するためのブリッジである。このＳＢ９１４は、ＰＣＩバスを介してＮＢ９１３と接続されており、このＰＣＩバスには、ネットワークインターフェース（Ｉ／Ｆ）部なども接続される。
【００９６】
ＡＳＩＣ９１６は、マルチメディア情報処理用のハードウェア要素を有するマルチメディア情報処理用途向けのＩＣ（Ｉｎｔｅｇｒａｔｅｄ  Ｃｉｒｃｕｉｔ）であり、ＡＧＰバス９１５、ＰＣＩバス、ＨＤＤ９１８およびＭＥＭ−Ｃ９１７をそれぞれ接続するブリッジの役割を有する。
【００９７】
このＡＳＩＣ９１６は、ＰＣＩターゲットおよびＡＧＰマスタと、ＡＳＩＣ９１６の中核をなすアービタ（ＡＲＢ）と、ＭＥＭ−Ｃ９１７を制御するメモリコントローラと、ハードウェアロジック等により画像データの回転などを行う複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部９６０との間でＰＣＩバスを介してＵＳＢ（Ｕｎｉｖｅｒｓａｌ  Ｓｅｒｉａｌ  Ｂｕｓ）９４０、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インタフェース９５０が接続される。
【００９８】
ＭＥＭ−Ｃ９１７は、送信用画像バッファ、符号バッファとして用いるローカルメモリであり、ＨＤＤ９１８は、画像データの蓄積、プログラムの蓄積、フォントデータの蓄積、フォームの蓄積を行うためのストーレジである。
【００９９】
ＡＧＰバス９１５は、グラフィック処理を高速化するために提案されたグラフィックスアクセラレータカード用のバスインタフェースであり、ＭＥＭ−Ｐ９１２に高スループットで直接アクセスすることにより、グラフィクスアクセラレータカードを高速にするものである。
【０１００】
ＡＳＩＣ９１６に接続するキーボード９２０は、操作者からの操作入力を受け付けて、ＡＳＩＣ９１６に受け付けられた操作入力情報を送信する。
【０１０１】
本実施形態の画像読取装置で実行される画像読取プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１０２】
さらに、本実施形態の画像読取装置で実行される画像読取プログラムを、インターネット等のネットワークに接続されたコンピュータ上に格納し、ネットワーク経由でダウンロードさせることにより提供するように構成しても良い。また、本実施形態の画像読取装置で実行される画像読取プログラムをインターネット等のネットワーク経由で提供または配布するように構成しても良い。
【０１０３】
本実施の形態の画像読取装置で実行される画像読取プログラムは、上述した各部（画像処理ユニット、システム制御ユニット、Ａ／Ｄ変換部、ＳＳＣＧ部、タイミング回路等）を含むモジュール構成となっており、実際のハードウェアとしてはＣＰＵ（プロセッサ）が上記ＲＯＭから画像読取プログラムを読み出して実行することにより上記各部が主記憶装置上にロードされ、画像処理ユニット、システム制御ユニット、Ａ／Ｄ変換部、ＳＳＣＧ部、タイミング回路等が主記憶装置上に生成されるようになっている。
【０１０４】
以上説明した本発明の実施の形態は、説明のための一例であって、本発明はここに説明したこれらの例に限定されるものではない。
【産業上の利用可能性】
【０１０５】
以上のように、本発明にかかる画像読取装置、画像読取方法、その方法をコンピュータに実行させるプログラム、および画像形成装置は、画像読取装置に有用であり、特に、画像読取装置における光電変換と走査駆動にクロックを供給する技術に有用である。
【図面の簡単な説明】
【０１０６】
【図１−１】本発明の実施の形態による画像形成装置における画像読取装置の機能的ブロック図である。
【図１−２】本発明の実施の形態による画像形成装置の説明図である。
【図２】画像表示ユニットの機能的ブロック図である。
【図３】画像表示ユニットの画面および操作系の説明図である。
【図４】操作部ユニットの一例を示す模式図である。
【図５】ＬＣＤ（液晶表示画面）の一例を示す図である。
【図６】図５における変倍キー押下による画面展開の一例を示す図である。
【図７】タッチパネル検出回路の一例を表す図である。
【図８】図７に示すタッチパネルの設定を説明する図である。
【図９】操作部ユニットの機能的ブロック図である。
【図１０】実施の形態による画像読取装置の全体ブロック図のうち主として読み取り部分を説明する図である。
【図１１】実施の形態による画像読取装置の全体ブロック図のうち主として画像処理部分を説明する図である。
【図１２】実施の形態による画像読取装置の画像読取手順を説明する図である。
【図１３−１】実施の形態による画像読取装置の画像読取手順を説明する他の図である。
【図１３−２】実施の形態による画像読み取り手段の手順を説明するフローチャートである。
【図１４】ＣＣＤ駆動部および３ラインＣＣＤのブロック図である。
【図１５】ＣＣＤ駆動タイミングチャートを示したグラフである。
【図１６】パルス調整機能について説明する図である。
【図１７】パルス幅増減量調整機能について説明する図である。
【図１８】パルス調整機能レジスタの構成を説明する図である。
【図１９】電源ＯＮ後のリセットシーケンスを説明するタイミングチャートである。
【図２０】画像形成装置のハードウェア構成を示すブロック図である。
【符号の説明】
【０１０７】
１  システム制御ユニット
２  読み取りユニット
３  画像処理ユニット
４  画像書き込みユニット
５  操作部ユニット
６  複写機機構部
７  画像表示ユニット
１０８  パルスモータ
１１１  ＣＣＤ
１１２  タイミング回路
１１９  Ａ／Ｄ変換部
１４０  ＳＳＣＧ部
【図１−１】
2006180260.tif 000003
【図１−２】
2006180260.tif 000004
【図２】
2006180260.tif 000005
【図３】
2006180260.tif 000006
【図４】
2006180260.tif 000007
【図５】
2006180260.tif 000008
【図６】
2006180260.tif 000009
【図７】
2006180260.tif 000010
【図８】
2006180260.tif 000011
【図９】
2006180260.tif 000012
【図１０】
2006180260.tif 000013
【図１１】
2006180260.tif 000014
【図１２】
2006180260.tif 000015
【図１３−１】
2006180260.tif 000016
【図１３−２】
2006180260.tif 000017
【図１４】
2006180260.tif 000018
【図１５】
2006180260.tif 000019
【図１６】
2006180260.tif 000020
【図１７】
2006180260.tif 000021
【図１８】
2006180260.tif 000022
【図１９】
2006180260.tif 000023
【図２０】
2006180260.tif 000024